(57)【要約】【課題】筐体構造において、ユーザが容易に分解できない構造と、リワーク性を下げない構造を両立する。【解決手段】第１の部材１０に設けられる差し込み結合部９ａ・１２ａと、第２の部材２０に設けられ、差し込み結合部９ａ・１２ａに挿抜可能なロック部２０ｂと、を備え、差し込み結合部９ａ・１２ａにロック部２０ｂを挿抜することにより、第１の部材１０への第２の部材２０の取り付け／取り外しを行なう筐体構造である。差し込み結合部９ａ・１２ａは、第１の部材１０に固定に形成される固定部材１２と可動に形成される可動部材９から構成され、可動部材９の可動状態に応じて当該差し込み結合部９ａ・１２ａへのロック部２０ｂの挿抜を行なうことにより、第１の部材１０への第２部材２０の取り付け／取り外しを行なう。【選択図】図２
2018046119.tif 000002
【特許請求の範囲】
【請求項１】
第１の部材に設けられる差し込み結合部と、
第２の部材に設けられ、前記差し込み結合部に挿抜可能なロック部と、を備え、
前記差し込み結合部に前記ロック部を挿抜することにより、前記第１の部材への前記第２の部材の取り付け／取り外しを行なう筐体構造であって、
前記差し込み結合部は、前記第１の部材に固定に形成される固定部材と可動に形成される可動部材から構成され、前記可動部材の可動状態に応じて当該差し込み結合部への前記ロック部の挿抜を行なうことにより、前記第１の部材への前記第２部材の取り付け／取り外しを行なうことを特徴とする筐体構造。
【請求項２】
前記可動部材は、通常動作時の第１の可動範囲と、前記第１の可動範囲より可動範囲が広い第２の可動範囲で可動が可能であり、当該可動部材が前記第１の可動範囲で可動する場合は、前記第２の部材は前記第１の部材に固定状態に保持され、当該可動部材を前記第２の可動範囲まで可動させた場合、前記第２の部材は前記第１の部材から保持解除されることを特徴とする請求項１に記載の筐体構造。
【請求項３】
前記可動部材は、他の筐体に設けられるロック溝に係合可能なロックピンと、当該ロックピンと一体に形成されるロック機構部から構成され、前記ロック部は前記固定部材と前記ロック機構部により固定状態に保持されることを特徴とする請求項１または２に記載の筐体構造。
【請求項４】
前記ロック部が一対設けられるとともに、
前記ロック機構部が前記ロックピンを挟んで、前記一対に設けられたロック部に対応するように一対設けられることを特徴とする請求項３に記載の筐体構造。
【請求項５】
請求項１から４のいずれか一項に記載の筐体構造を備えることを特徴とする電子機器。
【請求項６】
請求項１から４のいずれか一項に記載の筐体構造を備え、
前記第１の部材に表示部が設けられ、
前記第１の部材に対し、撮影レンズ部を有するレンズ筐体が回転可能に結合されていることを特徴とする撮像装置。
【請求項７】
前記レンズ筐体に、当該レンズ筐体及び前記第１の部材を囲むフレームが回転可能に結合され、
前記第１の部材に前記ロックピンが設けられて、
前記フレームに前記ロック溝が設けられていることを特徴とする請求項６に記載の撮像装置。
【発明の詳細な説明】
【技術分野】
【０００１】
本発明は、筐体構造と、その筐体構造を備える電子機器、及び撮像装置に関する。
【背景技術】
【０００２】
特許文献１において、撮影レンズを有するレンズ筐体と、そのレンズ筐体に回動可能に結合され、表示部を有する表示筐体と、これらレンズ筐体及び表示筐体を部分的に覆い、且つレンズ筐体に回動可能に結合されるグリップフレームと、からなる筐体構造の電子機器が提案されている。その筐体構造は、表示筐体に対しグリップフレームを固定状態に保持可能とするラッチ部を備える。
このような電子機器において、従来は電池の着脱のため、筐体が容易に開閉可能な構造となっている。
【先行技術文献】
【特許文献】
【０００３】
【特許文献１】特開２０１２−１３３０６１号公報
【発明の概要】
【発明が解決しようとする課題】
【０００４】
しかし、リチウムイオン電池などのユーザによる接触が禁止されている電池を使用する場合、容易に分解できない筐体構造が必要になる。
また、分解が難化することでリワーク性が下がることから、ユーザが容易に分解できない筐体構造と、リワーク性を下げない筐体構造の両立が必要となる。
【０００５】
本発明の課題は、筐体構造において、ユーザが容易に分解できない構造と、リワーク性を下げない構造を両立することである。
【課題を解決するための手段】
【０００６】
以上の課題を解決するため、本発明の筐体構造は、
第１の部材に設けられる差し込み結合部と、
第２の部材に設けられ、前記差し込み結合部に挿抜可能なロック部と、を備え、
前記差し込み結合部に前記ロック部を挿抜することにより、前記第１の部材への前記第２の部材の取り付け／取り外しを行なう筐体構造であって、
前記差し込み結合部は、前記第１の部材に固定に形成される固定部材と可動に形成される可動部材から構成され、前記可動部材の可動状態に応じて当該差し込み結合部への前記ロック部の挿抜を行なうことにより、前記第１の部材への前記第２部材の取り付け／取り外しを行なうことを特徴とする。
【発明の効果】
【０００７】
本発明によれば、筐体構造において、ユーザが容易に分解できない構造と、リワーク性を下げない構造を両立することができる。
【図面の簡単な説明】
【０００８】
【図１】本発明を適用した電子機器の一実施形態の構成を示すもので、カメラの概略平面図（ａ）、その表示筐体の拡大図（ｂ）、その矢印Ａ−Ａに沿った断面図（ｃ）である。
【図２】図１（ｂ）の矢印Ｂ−Ｂ線に沿った拡大断面図で、表示筐体の第２ヒンジ軸側の半部を示した図（ａ）、ロックピン側の半部を示した図（ｂ）である。
【図３】カバーケースを外して表示筐体のロックピン側を下方から見た斜視図（ａ）、カバーケースを外して表示筐体の第２ヒンジ軸側を側方から見た斜視図（ｂ）、カバーケースを取り付けた状態の図（ｃ）である。
【図４】グリップフレームの内方を示す斜視図である。
【図５】図４の矢印Ｃ−Ｃ線に沿った拡大断面図（ａ）、図２（ｂ）の要部拡大図（ｂ）である。
【発明を実施するための形態】
【０００９】
以下、図を参照して本発明を実施するための形態を詳細に説明する。
（実施形態）
図１は本発明を適用した電子機器の一実施形態としてカメラの概略構成を示すもので、１はレンズ筐体、１ａは撮影レンズ部、２は表示筐体、２ａは表示部、３はグリップフレーム、４は第１ヒンジ軸、５は第２ヒンジ軸、６はロックピン（可動部材）、７はロックピン固定部品、８はバネ（付勢部材）である。
【００１０】
カメラは、図示のように、撮影レンズ部１ａを有するレンズ筐体１と、表示部２ａを有する表示筐体２と、これらレンズ筐体１及び表示筐体２を囲むグリップフレーム３とからなる。レンズ筐体１と表示筐体２が第１ヒンジ軸４で回転可能に結合されて、レンズ筐体１とグリップフレーム３が、第１ヒンジ軸４の軸線Ｘと直交する軸線Ｙの第２ヒンジ軸５で回転可能に結合されている。
【００１１】
意図しない行為によりグリップフレーム３がレンズ筐体１に対し第２ヒンジ軸５の軸線Ｙ周りに回転することを防止するため、表示筐体２のレンズ筐体１と反対側の端部中央に、可動部材であるロックピン６が組み付けられている。
また、図４にも示すように、グリップフレーム３のレンズ筐体１と反対側の連続部内側にロックピン固定部品７が一体化して取り付けられ、このロックピン固定部品７の中心部に半球状凹部によるロック溝７ａが形成されている。このロック溝７ａにロックピン６が嵌ることで、グリップフレーム３の回転を防止する。
さらに、適度な荷重でロック溝７ａからのロックピン６の脱出を可能にするため、表示筐体２の端部内にロックピン６を突出方向に付勢する付勢部材であるバネ８が設けられている。
【００１２】
表示筐体２は、拡大して図２にも示すように、本体ケース１０にカバーケース２０を合体したもので、本体ケース１０は、樹脂製の表示側ケース１１、金属製のダイカストケース１２、及び樹脂製の中間ケース１３から構成され、カバーケース２０は樹脂製である。
表示側ケース１１とダイカストケース１２は、図３（ｂ）に示すように、レンズ筐体１側の端面で複数（上下左右計４本）のビス１４により結合一体化されている。
中間ケース１３は、表示側ケース１１のレンズ筐体１側の端面除く周囲三面を囲むように取り付けられる。
【００１３】
そして、ダイカストケース１２の内部には、リチウムイオン電池１５、回路基板１７、配線１９等が収納されており、リチウムイオン電池１５には保護用の電池カバー１６が設けられている。
【００１４】
カバーケース２０は、レンズ筐体１側の端面に左右一対の差し込み片２０ａを有し、表示側ケース１１の端面に形成した左右一対の差し込み溝１１ａに差し込み片２０ａをそれぞれ差し込んで結合される。
従って、表示側ケース１１とダイカストケース１２とのビス１４による結合部がカバーケース２０の端部で隠される。
【００１５】
また、カバーケース２０のレンズ筐体１と反対側の端部内には、図３（ａ）に仮想線で示すように、本体ケース１０の端部内に挿入可能な左右一対のロック部材２０ｂが一体に形成されている。このロック部材２０ｂは、図２（ｂ）に示すように、上部が大径の楔状に形成されている。
【００１６】
そして、ダイカストケース１２の端部内に、ロック部材２０ｂの挿入を許容してその楔状部を下方から受け止める左右一対のフック１２ａが一体に形成されている。
【００１７】
さらに、ロックピン６には、ダイカストケース１２の内部において、図３（ａ）に示すように、バネ８を囲む部分から左右両側方に延びる一対のロック機構部９が一体に形成されている。
このロック機構部９は、ダイカストケース１２のフック１２ａと平行な対向部において、ロック部材２０ｂの挿入を許容してその楔状部を下方から受け止めるフック９ａが形成され、ダイカストケース１２のフック部１２ａと合わせて差し込み結合部を構成している。
【００１８】
以上のロック機構部９のフック９ａとダイカストケース１２のフック部１２ａとの隙間へカバーケース２０のロック部材２０ｂを押し込むように入れる。
この際、ロックピン６はバネ８によって反発力を得ているため、表示側ケース１１（中間ケース１３）端面側へ付勢されているが、組み付ける際の荷重によってバネ８が縮むことで、ロック機構部９（フック９ａ）が一旦後退して、カバーケース１０のロック部材２０ｂの挿入が可能となる。
その後、カバーケース２０のロック部材２０ｂの楔状部を、バネ８による付勢により、ダイカストケース１２のフック１２ａとロック機構部９のフック９ａにより固定状態に保持する。
【００１９】
以上において、ロックピン６はグリップフレーム３のロック溝７ａからの脱出・固定の繰り返しにより摺動するため、表示側ケース１１（中間ケース１３）からの突出量が変化する。
その突出量の変化は、ロックピン固定部品７の平面部を通過しているときは、ロックピン６が押されてバネ８が縮み、ロック溝７ａもしくは完全に脱出した状態では、バネ８が伸びるために発生する。
このストローク量を、図５（ａ）に示すように、（α）とする。
【００２０】
次に、カバーケース２０のロック部材２０ｂを挿入させるために必要なバネ８のストローク量を（β）とし、α＜βが満たされているため、通常のグリップフレーム３の固定・脱出において、カバーケース２０のロック部材２０ｂがダイカストケース１２のフック１２ａから外れることは発生しない。
【００２１】
ここで、図５（ｂ）に示すように、ロック部材２０ｂの楔状部の左右の長さをそれぞれ、β１、β２とし、ストローク量（β）＝β１+β２とする。
また、ロックピン６の最大移動可能量を（γ）とする。
従って、β＜γとすることにより、ロックピン６を縮む方向へ最大限移動させた場合、カバーケース２０のロック部材２０ｂは、ダイカストケース１２のフック１２ａとロック機構部９のフック９ａとによる固定が解消され、抜き取ることが可能となる。
【００２２】
このような本体ケース１０に対するカバーケース２０の取付構造のため、ユーザによってカバーケース２０が外される要因が少なくなる。
【００２３】
以上のとおり、表示筐体２について、ユーザ使用時におけるロックピン６のバネ８の可変量とそのバネ８自体の最大可変量の差異を利用し、ビスを使用せず、本体ケース１０に対するカバーケース２０の固定を可能にしたものである。
従って、ユーザ使用時の本体ケース１０からのカバーケース２０の脱落・分解の防止、及びリワーク時の分解・組立の容易化が両立可能となる。
【００２４】
以上、実施形態のカメラの表示筐体２によれば、本体ケース１０及びカバーケース２０の一端を差し込み溝１１ａと差し込み片２０ａによる結合部とする一方、本体ケース１０他端にロックピン６を、カバーケース２０他端にロック部材２０ｂを設けて、本体ケース１０他端内に、ロックピン６と連動してロック部材２０ｂを固定状態に保持するロック機構部９を設けたことにより、ユーザが容易に分解できない筐体構造で、リワーク性を下げない筐体構造を両立することができる。
【００２５】
（変形例）
以上の実施形態においては、カメラとしたが、本発明はこれに限定されるものではなく、カメラを備える携帯電話など他の電子機器であってもよい。
また、実施形態では、一対のロック部材及びロック機構部としたが、単独のロック部材及びロック機構部であってよい。
さらに、本体ケース、カバーケース、可動部材、ロック部材の形状、差し込み結合部の構造、ロック機構部の構成等も任意であり、その他、具体的な細部構造等についても適宜に変更可能であることは勿論である。
【００２６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
第１の部材に設けられる差し込み結合部と、
第２の部材に設けられ、前記差し込み結合部に挿抜可能なロック部と、を備え、
前記差し込み結合部に前記ロック部を挿抜することにより、前記第１の部材への前記第２の部材の取り付け／取り外しを行なう筐体構造であって、
前記差し込み結合部は、前記第１の部材に固定に形成される固定部材と可動に形成される可動部材から構成され、前記可動部材の可動状態に応じて当該差し込み結合部への前記ロック部の挿抜を行なうことにより、前記第１の部材への前記第２部材の取り付け／取り外しを行なうことを特徴とする筐体構造。
＜請求項２＞
前記可動部材は、通常動作時の第１の可動範囲と、前記第１の可動範囲より可動範囲が広い第２の可動範囲で可動が可能であり、当該可動部材が前記第１の可動範囲で可動する場合は、前記第２の部材は前記第１の部材に固定状態に保持され、当該可動部材を前記第２の可動範囲まで可動させた場合、前記第２の部材は前記第１の部材から保持解除されることを特徴とする請求項１に記載の筐体構造。
＜請求項３＞
前記可動部材は、他の筐体に設けられるロック溝に係合可能なロックピンと、当該ロックピンと一体に形成されるロック機構部から構成され、前記ロック部は前記固定部材と前記ロック機構部により固定状態に保持されることを特徴とする請求項１または２に記載の筐体構造。
＜請求項４＞
前記ロック部が一対設けられるとともに、
前記ロック機構部が前記ロックピンを挟んで、前記一対に設けられたロック部に対応するように一対設けられることを特徴とする請求項３に記載の筐体構造。
＜請求項５＞
請求項１から４のいずれか一項に記載の筐体構造を備えることを特徴とする電子機器。
＜請求項６＞
請求項１から４のいずれか一項に記載の筐体構造を備え、
前記第１の部材に表示部が設けられ、
前記第１の部材に対し、撮影レンズ部を有するレンズ筐体が回転可能に結合されていることを特徴とする撮像装置。
＜請求項７＞
前記レンズ筐体に、当該レンズ筐体及び前記第１の部材を囲むフレームが回転可能に結合され、
前記第１の部材に前記ロックピンが設けられて、
前記フレームに前記ロック溝が設けられていることを特徴とする請求項６に記載の撮像装置。
【符号の説明】
【００２７】
１  レンズ筐体
１ａ  撮影レンズ部
２  表示筐体
２ａ  表示部
３  グリップフレーム
４  第１ヒンジ軸
５  第２ヒンジ軸
６  ロックピン（可動部材）
７  ロックピン固定部品
７ａ  ロック溝
８  バネ（付勢部材）
９  ロック機構部（可動部材）
９ａ  フック（差し込み結合部）
１０  本体ケース（第１の部材）
１１  表示側ケース
１１ａ  差し込み溝
１２  ダイカストケース（固定部材）
１２ａ  フック（差し込み結合部）
１３  中間ケース
１４  ビス
１５  リチウムイオン電池
１６  電池カバー
１７  回路基板
１９  配線
２０  カバーケース（第２の部材）
２０ａ  差し込み片
２０ｂ  ロック部材（ロック部）
【図１】
2018046119.tif 000003
【図２】
2018046119.tif 000004
【図３】
2018046119.tif 000005
【図４】
2018046119.tif 000006
【図５】
2018046119.tif 000007